(57)【要約】【課題】  簡単な構成で、バックライトの明るさのばらつきによる輝度分布の不均一レベル（明るい部分と暗い部分の差）が異なる場合の調整を容易に行うことができるようにする。【解決手段】  制御手段であるマイクロプロセッサ１から表示制御手段である液晶コントロール用ＩＣ２に対する指示により、記憶手段である外部メモリ４に記憶されている任意の画像のデータを用い、液晶表示パネル３に表示すべき入力映像信号のデータが、バックライトの明るさのばらつきによる輝度分布の不均一を相殺して均一な輝度の映像が表示されるように調整した。【選択図】  図１
2007163555.tif 000002
【特許請求の範囲】
【請求項１】
液晶表示パネルに表示される映像の輝度分布を均一とする液晶表示装置であって、
任意の画像のデータを記憶する記憶手段と、
前記記憶されているデータを用い、前記液晶表示パネルに表示すべき入力映像信号のデータを調整する表示制御手段と、
前記表示制御手段に対し、バックライトの明るさのばらつきによる輝度分布の不均一を相殺して均一な映像が表示されるように前記調整を指示する制御手段とを備える
ことを特徴とする液晶表示装置。
【請求項２】
前記記憶手段には、バックライトの明るさのばらつきによる明暗部とは逆になるような画像のデータが記憶されており、
前記制御手段は、前記表示制御手段に対し、前記記憶されているデータを前記表示すべき入力映像信号のデータに加算するように指示する
ことを特徴とする請求項１に記載の液晶表示装置。
【請求項３】
前記記憶手段には、バックライトの明るさのばらつきによる明暗部と同じになるような画像のデータが記憶されており、
前記制御手段は、前記表示制御手段に対し、前記記憶されているデータを前記表示すべき入力映像信号のデータから減算するように指示する
ことを特徴とする請求項１に記載の液晶表示装置。
【請求項４】
前記表示制御手段は、前記記憶されているデータを前記表示すべき入力映像信号のデータに加算する前に、それぞれのデータを、加算されたデータがＭＡＸ値を超えないように所定の定数で乗算処理することを特徴とする請求項２に記載の液晶表示装置。
【請求項５】
前記表示制御手段は、前記記憶されているデータを前記表示すべき入力映像信号のデータから減算する前に、前記入力映像信号のデータを、減算されたデータがＭＩＮ値を下回らないように所定の定数で乗算処理し、かつ＋方向にシフトし、さらに前記記憶されているデータを、前記減算されたデータがＭＩＮ値を下回らないように所定の定数で乗算処理することを特徴とする請求項３に記載の液晶表示装置。
【請求項６】
前記記憶手段に記憶されている任意の画像のデータは、バックライトの構造によって異なる複数の輝度分布の不均一な状態に合わせて複数記憶されていることを特徴とする請求項１〜５のいずれかに記載の液晶表示装置。
【請求項７】
液晶表示パネルに表示される映像の輝度分布を均一とする液晶表示方法であって、
記憶手段に記憶されている任意の画像のデータを用い、前記液晶表示パネルに表示すべき入力映像信号のデータを調整するステップと、
バックライトの明るさのばらつきによる輝度分布の不均一を相殺して均一な映像が表示されるように前記調整を指示するステップとを有する
ことを特徴とする液晶表示方法。
【請求項８】
前記記憶手段には、バックライトの明るさのばらつきによる明暗部とは逆になるような画像のデータが記憶されており、
前記記憶されているデータを前記表示すべき入力映像信号のデータに加算するように指示するステップを有する
ことを特徴とする請求項７に記載の液晶表示方法。
【請求項９】
前記記憶手段には、バックライトの明るさのばらつきによる明暗部と同じになるような画像のデータが記憶されており、
前記記憶されているデータを前記表示すべき入力映像信号のデータから減算するように指示するステップを有する
ことを特徴とする請求項７に記載の液晶表示方法。
【請求項１０】
前記記憶されているデータを前記表示すべき入力映像信号のデータに加算する前に、それぞれのデータを、加算されたデータがＭＡＸ値を超えないように所定の定数で乗算処理するステップを有することを特徴とする請求項８に記載の液晶表示方法。
【請求項１１】
前記記憶されているデータを前記表示すべき入力映像信号のデータから減算する前に、前記入力映像信号のデータを、減算されたデータがＭＩＮ値を下回らないように所定の定数で乗算処理し、かつ＋方向にシフトし、さらに前記記憶されているデータを、前記減算されたデータがＭＩＮ値を下回らないように所定の定数で乗算処理するステップを有することを特徴とする請求項９に記載の液晶表示方法。
【請求項１２】
前記記憶手段に記憶されている任意の画像のデータは、バックライトの構造によって異なる複数の輝度分布の不均一な状態に合わせて複数記憶されていることを特徴とする請求項７〜１１のいずれかに記載の液晶表示方法。
【発明の詳細な説明】
【技術分野】
【０００１】
本発明は、液晶表示パネル表面でのバックライトの明るさのばらつきによる輝度分布が均一となるように、入力される映像のＲＧＢ値を、任意のグレー画像のＲＧＢ値で補正した液晶表示装置及び液晶表示方法に関する。
【背景技術】
【０００２】
バックライトからの透過光により液晶表示パネルに映像を表示する液晶表示装置では、液晶表示パネルの表面での明るさ（輝度）を均一とするために、蛍光管を光拡散板（又は導光板）の側面に配置した方式又は蛍光管を光拡散板（又は導光板）の直下に配置した方式のいずれかを採用している。
【０００３】
ここで、液晶表示パネルの表面での明るさ（輝度）を均一とするために、特許文献１では、液晶パネルを背面側から照射するエッジライト方式のバックライトを備え、バックライトの導光板の裏面における、有効発光領域からＣＣＦＴ側端部までの所定端部側領域Ｃに、有効発光領域に形成されている均一発光をなすための第１ドットパターンよりドットピッチの大きい第２ドットパターンを形成するようにした液晶表示装置を提案している。
【０００４】
また、特許文献２では、導光板の対向する２側面の近傍に、該側面に沿って該側面と平行にそれぞれ２本の蛍光管を導光板の厚さ方向に配列して成るバックライトを有し、２本１組の蛍光管の各一端をそれぞれ別のインバータと直接電気的に接続し、２本１組の蛍光管の各他端どうしを互いに電気的に接続し、かつ、各組の一端側を導光板に対してそれぞれ交互に配置するようにした液晶表示装置を提案している。
【０００５】
また、特許文献３では、管状の光源とこの背後に配置されて光を前方に反射させる反射板を有し、光源からの光を拡散板に通すようにし、拡散板が、第１拡散部とこの第１拡散部よりも光の拡散率が小さく隣合って設けられた第２拡散部とからなって、第１拡散部を光源の長手方向に揃えて直面するよう配置することで、光源からの光を拡散板に通して均一化した液晶表示装置を提案している。
【０００６】
また、特許文献４では、液晶パネルと、液晶パネルを挟んで配置された下偏光板及び上偏光板と、電極に表示信号に応じた電圧を印加するための駆動手段と、液晶パネルを背面から照明する照明光源とを有し、照明光源が、高圧側と低圧側を隣接させて平行配列した２本以上を一組として液晶パネルの背面と平行に複数組配置した複数の線状ランプを備えた光源を具備する液晶表示装置を提案している。
【特許文献１】特開平０６−３４７７８８号公報
【特許文献２】特開平０７−３０１７９７号公報
【特許文献３】特開平０８８−１３６９２４号公報
【特許文献４】特開平１１−２９５７３１号公報
【発明の開示】
【発明が解決しようとする課題】
【０００７】
ところが、特許文献１に示されたものは、導光板の裏側にドットパターンを設けて明るい部分を密にし、さらには所定端部側領域における導光板と反射体との密着を防止し、両者が密着した密着部分による光の乱反射を防止するようにしたものであり、その構造固有の手法であるために、バックライトの明るさのばらつきによる輝度分布の不均一レベル（明るい部分と暗い部分の差）が異なる場合の調整が困難であるという問題があった。なお、特許文献１では、バックライトの構造が変わっても対応可能であるという利点があるが、その場合、拡散板自体を変更せざるおえなくなるため非効率である。
【０００８】
また、特許文献２に示されたものは、複数本の蛍光管の高輝度側又は低輝度側を交互に配置することにより、高輝度側と低輝度側とが重なるようにすることで、バックライトの輝度差を低減し、輝度を均一にすることができるようにしたものであり、その構造固有の手法であるために、回路構成が複雑になったり無駄が生じたりしてコスト高となってしまうという問題があった。
【０００９】
また、特許文献３に示されたものは、面光源となるような筒状の光源を備えたバックライト装置に改良を加え、そこからの光を均一化して液晶表示画面に発生する輝度ムラを抑えることができるようにしたものであり、特許文献１と同様に、バックライトの明るさのばらつきによる輝度分布の不均一レベル（明るい部分と暗い部分の差）が異なる場合の調整が困難であるという問題があった。なお、特許文献３では、特許文献１と同様に、バックライトの構造が変わっても対応可能であるという利点があるが、その場合、拡散板自体を変更せざるおえなくなるため非効率である。
【００１０】
また、特許文献４に示されたものは、直下型バックライトに用いる線状ランプの高圧側と低圧側の輝度差と色調差を低減して表示画面全域で均一かつ明るい表示を得ることができるようにしたものであるが、特許文献２と同様に、回路構成が複雑になったり無駄が生じたりしてコスト高となってしまうという問題があった。
【００１１】
本発明は、このような状況に鑑みてなされたものであり、上記問題点を解決することができる液晶表示装置及び液晶表示方法を提供することを目的とする。
【課題を解決するための手段】
【００１２】
本発明の液晶表示装置は、液晶表示パネルに表示される映像の輝度分布を均一とする液晶表示装置であって、任意の画像のデータを記憶する記憶手段と、前記記憶されているデータを用い、前記液晶表示パネルに表示すべき入力映像信号のデータを調整する表示制御手段と、前記表示制御手段に対し、バックライトの明るさのばらつきによる輝度分布の不均一を相殺して均一な映像が表示されるように前記調整を指示する制御手段とを備えることを特徴とする。このような構成では、制御手段から表示制御手段に対する指示により、記憶手段に記憶されている任意の画像のデータを用いることで、液晶表示パネルに表示すべき入力映像信号のデータが、バックライトの明るさのばらつきによる輝度分布の不均一を相殺して均一な輝度の映像が表示されるように調整される。
また、前記記憶手段には、バックライトの明るさのばらつきによる明暗部とは逆になるような画像のデータが記憶されており、前記制御手段は、前記表示制御手段に対し、前記記憶されているデータを前記表示すべき入力映像信号のデータに加算するように指示するようにすることができる。このような構成では、バックライトの明るさのばらつきによる明暗部とは逆になるような画像のデータが表示すべき入力映像信号のデータに加算されることで、バックライトの輝度の暗い部分に相当する位置の映像のデータであるＲＧＢ値が大きくされ、その結果、バックライトの不均一さと映像の不均一さが相殺され、液晶表示パネルの表面上では均一な輝度の映像を得ることができる。
また、前記記憶手段には、バックライトの明るさのばらつきによる明暗部と同じになるような画像のデータが記憶されており、前記制御手段は、前記表示制御手段に対し、前記記憶されているデータを前記表示すべき入力映像信号のデータから減算するように指示するようにすることができる。このような構成では、バックライトの明るさのばらつきによる明暗部と同じになるような画像のデータが表示すべき入力映像信号のデータから減算されることで、バックライトの輝度の明るい部分に相当する位置の映像のデータであるＲＧＢ値が小さくされ、その結果、バックライトの不均一さと映像の不均一さが相殺され、液晶表示パネルの表面上では均一な輝度の映像を得ることができる。
また、前記表示制御手段は、前記記憶されているデータを前記表示すべき入力映像信号のデータに加算する前に、それぞれのデータを、加算されたデータがＭＡＸ値を超えないように所定の定数で乗算処理するようにすることができる。このような構成では、記憶されているデータを表示すべき入力映像信号のデータに加算する前に、それぞれのデータが、加算されたデータがＭＡＸ値を超えないように所定の定数で乗算処理されることで、バックライトの明るさのばらつきの変化に応じて均一な輝度の映像を得ることができる。
また、前記表示制御手段は、前記記憶されているデータを前記表示すべき入力映像信号のデータから減算する前に、前記入力映像信号のデータを、減算されたデータがＭＩＮ値を下回らないように所定の定数で乗算処理し、かつ＋方向にシフトし、さらに前記記憶されているデータを、前記減算されたデータがＭＩＮ値を下回らないように所定の定数で乗算処理するようにすることができる。このような構成では、記憶されているデータを表示すべき入力映像信号のデータから減算する前に、入力映像信号のデータが、減算されたデータがＭＩＮ値を下回らないように所定の定数で乗算処理され、かつ＋方向にシフトされ、さらに記憶されているデータが、減算されたデータがＭＩＮ値を下回らないように所定の定数で乗算処理されることで、バックライトの明るさのばらつきの変化に応じて均一な輝度の映像を得ることができる。
また、前記記憶手段に記憶されている任意の画像のデータは、バックライトの構造によって異なる複数の輝度分布の不均一な状態に合わせて複数記憶されているようにすることができる。このような構成では、記憶手段に記憶されている任意の画像のデータがバックライトの構造によって異なる複数の輝度分布の不均一な状態に合わせて複数記憶されているため、バックライトの構造に合う任意の画像のデータに基づき、均一な輝度の映像を得ることができる。
本発明の液晶表示方法は、液晶表示パネルに表示される映像の輝度分布を均一とする液晶表示方法であって、記憶手段に記憶されている任意の画像のデータを用い、前記液晶表示パネルに表示すべき入力映像信号のデータを調整するステップと、バックライトの明るさのばらつきによる輝度分布の不均一を相殺して均一な映像が表示されるように前記調整を指示するステップとを有することを特徴とする。このような構成では、上記同様に、記憶手段に記憶されている任意の画像のデータを用いることで、液晶表示パネルに表示すべき入力映像信号のデータが、バックライトの明るさのばらつきによる輝度分布の不均一を相殺して均一な輝度の映像が表示されるように調整される。
また、前記記憶手段には、バックライトの明るさのばらつきによる明暗部とは逆になるような画像のデータが記憶されており、前記記憶されているデータを前記表示すべき入力映像信号のデータに加算するように指示するステップを有するようにすることができる。このような構成では、上記同様に、バックライトの明るさのばらつきによる明暗部とは逆になるような画像のデータが表示すべき入力映像信号のデータに加算されることで、バックライトの輝度の暗い部分に相当する位置の映像のデータであるＲＧＢ値が大きくされ、その結果、バックライトの不均一さと映像の不均一さが相殺され、液晶表示パネルの表面上では均一な輝度の映像を得ることができる。
また、前記記憶手段には、バックライトの明るさのばらつきによる明暗部と同じになるような画像のデータが記憶されており、前記記憶されているデータを前記表示すべき入力映像信号のデータから減算するように指示するステップを有するようにすることができる。このような構成では、上記同様に、バックライトの明るさのばらつきによる明暗部と同じになるような画像のデータが表示すべき入力映像信号のデータから減算されることで、バックライトの輝度の明るい部分に相当する位置の映像のデータであるＲＧＢ値が小さくされ、その結果、バックライトの不均一さと映像の不均一さが相殺され、液晶表示パネルの表面上では均一な輝度の映像を得ることができる。
また、前記記憶されているデータを前記表示すべき入力映像信号のデータに加算する前に、それぞれのデータを、加算されたデータがＭＡＸ値を超えないように所定の定数で乗算処理するステップを有するようにすることができる。このような構成では、記憶されているデータを表示すべき入力映像信号のデータに加算する前に、それぞれのデータが、加算されたデータがＭＡＸ値を超えないように所定の定数で乗算処理されることで、バックライトの明るさのばらつきの変化に応じて均一な輝度の映像を得ることができる。
また、前記記憶されているデータを前記表示すべき入力映像信号のデータから減算する前に、前記入力映像信号のデータを、減算されたデータがＭＩＮ値を下回らないように所定の定数で乗算処理し、かつ＋方向にシフトし、さらに前記記憶されているデータを、前記減算されたデータがＭＩＮ値を下回らないように所定の定数で乗算処理するステップを有するようにすることができる。このような構成では、上記同様に、記憶されているデータを表示すべき入力映像信号のデータから減算する前に、入力映像信号のデータが、減算されたデータがＭＩＮ値を下回らないように所定の定数で乗算処理され、かつ＋方向にシフトされ、さらに記憶されているデータが、減算されたデータがＭＩＮ値を下回らないように所定の定数で乗算処理されることで、バックライトの明るさのばらつきの変化に応じて均一な輝度の映像を得ることができる。
また、前記記憶手段に記憶されている任意の画像のデータは、バックライトの構造によって異なる複数の輝度分布の不均一な状態に合わせて複数記憶されているようにすることができる。このような構成では、上記同様に、記憶手段に記憶されている任意の画像のデータがバックライトの構造によって異なる複数の輝度分布の不均一な状態に合わせて複数記憶されているため、バックライトの構造に合う任意の画像のデータに基づき、均一な輝度の映像を得ることができる。
【発明の効果】
【００１３】
本発明の液晶表示装置及び液晶表示方法によれば、制御手段から表示制御手段に対する指示により、記憶手段に記憶されている任意の画像のデータを用い、液晶表示パネルに表示すべき入力映像信号のデータが、バックライトの明るさのばらつきによる輝度分布の不均一を相殺して均一な輝度の映像が表示されるように調整されるので、簡単な構成で、バックライトの明るさのばらつきによる輝度分布の不均一レベル（明るい部分と暗い部分の差）が異なる場合の調整を容易に行うことができる。
【発明を実施するための最良の形態】
【００１４】
本実施形態では、制御手段から表示制御手段に対する指示により、記憶手段に記憶されている任意の画像のデータを用い、液晶表示パネルに表示すべき入力映像信号のデータが、バックライトの明るさのばらつきによる輝度分布の不均一を相殺して均一な輝度の映像が表示されるように調整し、簡単な構成で、バックライトの明るさのばらつきによる輝度分布の不均一レベル（明るい部分と暗い部分の差）が異なる場合の調整が容易に行われるようにした。
【実施例】
【００１５】
以下、本発明の実施例の詳細について説明する。図１は、本発明の液晶表示装置の一実施例に係る主要部を示すブロック図である。同図に示す液晶表示装置は、マイクロプロセッサ１、液晶コントロール用ＩＣ２、液晶表示パネル３、外部メモリ４を備えている。
【００１６】
マイクロプロセッサ１は、液晶コントロール用ＩＣ２に対し、外部メモリ４に記憶されている後述の任意のグレー画像のＲＧＢ値に基づき、入力映像信号（デジタル映像信号）のＲＧＢ値の調整を指示する。
【００１７】
液晶コントロール用ＩＣ２は、入力映像信号（デジタル映像信号）のＲＧＢ値に対し、マイクロプロセッサ１からの指示に応じて外部メモリ４から読み込んだ任意のグレー画像のＲＧＢ値に基づき調整を行い、その調整したＲＧＢ値に基づいて液晶表示パネル３の表示を制御する。任意のグレー画像のＲＧＢ値に基づく入力映像信号（デジタル映像信号）のＲＧＢ値の調整については後述する。
【００１８】
液晶表示パネル３は、液晶コントロール用ＩＣ２による制御によって映像を表示する。外部メモリ４は、図示しないバックライトの明るさのばらつきによる輝度分布の不均一を相殺して均一な映像が表示されるようにするための任意のグレー画像のＲＧＢ値を記憶している。
【００１９】
次に、本実施例での図示しないバックライトの明るさのばらつきによる輝度分布の不均一を相殺して均一な映像が表示されるようにするための調整の概要について説明する。
【００２０】
まず、図２に示すように、液晶コントロール用ＩＣ２への入力映像信号（デジタル映像信号）が有ると（ステップＳ１）、マイクロプロセッサ１により液晶コントロール用ＩＣ２に対してグレー画像のデータの加算又は減算が指示される（ステップＳ２）。
【００２１】
ここで、図３（ａ）は、液晶表示パネル３の表面での明るさがバックライトの明るさのばらつきによる明暗部の差によって不均一となった場合の輝度分布３ａの一例を示すものである。すなわち、図３（ａ）では、バックライトの明るさのばらつきにより、液晶表示パネル３の輝度分布３ａが左側３ｄに対し右側３ｅの方が低下していることを示している。
【００２２】
この状態で、液晶表示パネル３に映像を表示したとすると、その表示された映像のＲＧＢ値は、図３（ｂ）に示すように、バックライトの明暗部の差の影響に応じたものとなってしまう。つまり、液晶表示パネル３に表示された映像の輝度は、液晶表示パネル３の水平位置において、不均一な分布となってしまうことになる。
【００２３】
そこで、マイクロプロセッサ１により液晶コントロール用ＩＣ２に対してグレー画像のデータの加算が指示された場合（ステップＳ２）、たとえば図４（ａ）に示すようなバックライトの明るさのばらつきによる明暗部とは逆になるようなグレー画像３ｂのデータであるＲＧＢ値を、液晶表示パネル３に表示すべき映像のデータであるＲＧＢ値に加算する（ステップＳ３）。
【００２４】
この場合、そのグレー画像３ｂのＲＧＢ値は、図４（ｂ）に示すように、液晶表示パネル３の水平位置において、左側３ｄから右側３ｅの方に向かって高くなっている。すなわち、図３（ｂ）に示したＲＧＢ値とは液晶表示パネル３の水平位置において、逆の傾きを有したものとなっている。
【００２５】
そして、図４（ｂ）に示すようなグレー画像３ｂのＲＧＢ値を液晶表示パネル３に表示すべき映像のＲＧＢ値に加算することで、図３（ａ）に示した液晶表示パネル３の輝度分布３ａが低下している右側３ｅの部分の輝度が高められ、結果的に、バックライトの明るさのばらつきによる輝度分布３ａの不均一を相殺して均一な映像が表示されることになる。
【００２６】
また、（ステップＳ２）において、マイクロプロセッサ１により液晶コントロール用ＩＣ２に対してグレー画像のデータの減算が指示された場合、たとえば図５（ａ）に示すようなバックライトの明るさのばらつきによる明暗部と同じになるようなグレー画像３ｃのデータであるＲＧＢ値を、液晶表示パネル３に表示すべき映像のデータであるＲＧＢ値から減算することになる（ステップＳ４）。
【００２７】
この場合、そのグレー画像３ｃのＲＧＢ値は、図５（ｂ）に示すように、液晶表示パネル３の水平位置において、左側３ｄから右側３ｅの方に向かって低くなっている。すなわち、図３（ｂ）に示したＲＧＢ値とは液晶表示パネル３の水平位置において、同じ傾きを有したものとなっている。
【００２８】
そして、図５（ｂ）に示すようなグレー画像３ｃのデータであるＲＧＢ値を、液晶表示パネル３に表示すべき映像のデータであるＲＧＢ値から減算することで、図３（ａ）に示した液晶表示パネル３の輝度分布が高い左側３ｄの部分の輝度が低くされ、結果的に、バックライトの明るさのばらつきによる輝度分布の不均一を相殺して均一な映像が表示されることになる。
【００２９】
以上のように、液晶コントロール用ＩＣ２への入力映像信号（デジタル映像信号）が有ると、マイクロプロセッサ１により液晶コントロール用ＩＣ２に対してグレー画像３ｂのデータの加算又はグレー画像３ｃのデータの減算が指示されることで、バックライトの明るさのばらつきによる輝度分布の不均一レベル（明るい部分と暗い部分の差）が異なる場合の調整が容易に行われることになる。
【００３０】
次に、液晶表示方法の具体例について説明する。
まず、図６に示す符号５は、液晶コントロール用ＩＣ２に入力されるデジタル映像信号の映像であり、符号６はバックライトの輝度分布と明暗部の位置が逆のグレー画像である。すなわち、そのグレー画像６は、図３（ｂ）に示したＲＧＢ値に対し、図４（ｂ）に示したように傾きが逆となるようなＲＧＢ値のデータを有したものである。
【００３１】
そして、マイクロプロセッサ１の指示を受けた液晶コントロール用ＩＣ２より、入力される映像５とグレー画像６とが加算器５ａによって加算されることで、その加算された映像７が液晶表示パネル３に出力される。このとき、その映像７は、バックライトの輝度分布状態８のように、バックライトの明るさのばらつきによる明暗部とは逆となるようなＲＧＢ値で相殺されているため、液晶表示パネル３上で表示される映像９は均一な輝度となる。
【００３２】
次に、調整可能な映像とグレー画像とを加算処理する場合について説明する。
まず、図７に示すように、液晶コントロール用ＩＣ２に入力されるデジタル映像信号の映像１０に対し、乗算器６ａにより乗算処理をし、適切な映像１２を生成する。また、基本のグレー画像１１に対し、乗算器６ｂにより乗算処理をし、適切なグレー画像１３を生成する。
【００３３】
ここで、乗算器６ａ，６ｂによる乗算のレベルは、マイクロプロセッサ１により、バックライトのばらつきに合わせるように調整されるものであり、グレー画像との加算処理の結果のＲＧＢ値がＭＡＸ値を超えないように調整される。
【００３４】
そして、乗算処理された映像１２とグレー画像１３とを加算器５ｂにより加算した映像１４が出力される。これにより、その映像１４は、バックライトの輝度分布状態１５のように、バックライトの明るさのばらつきによる明暗部とは逆となるようなＲＧＢ値で相殺されているため、液晶表示パネル３上で表示される映像１６は均一な輝度となる。
【００３５】
次に、映像とグレー画像とを減算処理する場合について説明する。
まず、図８に示すように、液晶コントロール用ＩＣ２に入力される映像１７のＲＧＢ値に対し、減算器５ｃにより、図５で説明したバックライトの明るさのばらつきによる明暗部の位置が同じとなるグレー画像１８のデータのＲＧＢ値で減算する。これにより、減算器５ｃから出力される映像１９は、バックライトの輝度分布状態２０のように、バックライトの明るさのばらつきによる明暗部とは逆となるようなＲＧＢ値で相殺されているため、液晶表示パネル３上で表示される映像２１は均一な輝度となる。
【００３６】
次に、調整可能な映像とグレー画像とを減算処理する場合について説明する。
まず、図９に示すように、液晶コントロール用ＩＣ２に入力される映像２２に対し、乗算器６ｃによる乗算によって映像２３を生成し、シフト器６ｅによりその映像２３のＲＧＢ値を＋方向にシフトした映像２４を生成する。
【００３７】
また、基本のグレー画像２５に対し、乗算器６ｄによる乗算によって適切なグレー画像２６を生成する。ここで、乗算器６ｃ，６ｄによる乗算の定数はマイクロプロセッサ１により、バックライトのばらつきによる明暗部の差のレベルに合わせるように調整される。
【００３８】
また、乗算器６ｃ，６ｄ及びシフト器６ｅにおける定数は、マイクロプロセッサ１により、映像２４とグレー画像２６との減算処理の結果のＲＧＢ値がＭＩＮ値を超えないように調整される。
【００３９】
そして、シフト器６ｅから出力された映像２４に対し、グレー画像２６を減算器５ｄによって減算する。これにより、減算器５ｄから出力される映像２７は、バックライトの輝度分布状態２８のように、バックライトの明るさのばらつきによる明暗部とは逆となるようなＲＧＢ値で相殺されているため、液晶表示パネル３上で表示される映像２９は均一な輝度となる。
【００４０】
なお、加算又は減算に使用するグレー画像のデータは、外部メモリ４に限らず、液晶コントロールＩＣ２内部のメモリに持つようにしてもよく、さらにはそのグレー画像のデータが任意に変更できるものとすることができる。これにより、バックライトの輝度分布（パターン）状態に合わせてグレー画像のパターンを変更でき、容易にあらゆる種類のバックライトの輝度分布状態に対応させることが可能となる。
【００４１】
すなわち、たとえばバックライトの輝度分布が図１０（ａ）に示すように、液晶表示パネル３の表面での中央部分が高く左右が低くなっている状態では、図１０（ｂ）に示すようなそのバックライトの輝度分布とは逆のグレー画像を入力される映像に対して加算すればよい。また、図１０（ｃ）に示すようなそのバックライトの輝度分布と同じ輝度分布のグレー画像を入力される映像に対して減算すればよい。
【００４２】
このように、本実施例では、制御手段であるマイクロプロセッサ１から表示制御手段である液晶コントロール用ＩＣ２に対する指示により、記憶手段である外部メモリ４に記憶されている任意の画像のデータを用い、液晶表示パネル３に表示すべき入力映像信号のデータが、バックライトの明るさのばらつきによる輝度分布の不均一を相殺して均一な輝度の映像が表示されるように調整されるので、簡単な構成で、バックライトの明るさのばらつきによる輝度分布の不均一レベル（明るい部分と暗い部分の差）が異なる場合の調整を容易に行うことができる。
【００４３】
また、本実施例では、バックライトの明るさのばらつきによる輝度分布の不均一レベル（明るい部分と暗い部分の差）が異なる場合の調整を容易に行うことができることから、表示品質を向上させることができ、特に、大型のバックライトを必要とする大画面化に有利である。
【００４４】
また、本実施例では、たとえば外部メモリ４に、バックライトの構造によって異なる複数の輝度分布の不均一な状態に合わせた複数のグレー画像のデータを記憶させておき、バックライトの構造に合う任意の画像のデータを読み込むようにすることで、液晶表示パネル３に表示すべき入力映像信号のデータをバックライトの構造に合わせて調整することができ、様々なバックライトの状態に容易に対応させることが可能となる。
【産業上の利用可能性】
【００４５】
液晶表示パネルによって映像を表示する全ての液晶表示装置に適用可能である。
【図面の簡単な説明】
【００４６】
【図１】本発明の液晶表示装置の一実施例に係る主要部を示すブロック図である。
【図２】図１の液晶表示装置におけるバックライトの明るさのばらつきによる輝度分布の不均一を相殺して均一な映像が表示されるようにする際の調整の概要について説明するためのフローチャートである。
【図３】図１の液晶表示装置におけるバックライトの明るさのばらつきによる輝度分布の不均一を相殺して均一な映像が表示されるようにする際の調整の概要について説明するための図である。
【図４】図１の液晶表示装置におけるバックライトの明るさのばらつきによる輝度分布の不均一を相殺して均一な映像が表示されるようにする際の調整の概要について説明するための図である。
【図５】図１の液晶表示装置におけるバックライトの明るさのばらつきによる輝度分布の不均一を相殺して均一な映像が表示されるようにする際の調整の概要について説明するための図である。
【図６】図１の液晶表示装置におけるバックライトの明るさのばらつきによる輝度分布の不均一を相殺して均一な映像が表示されるようにする際の液晶表示方法の具体例について説明するための図である。
【図７】図１の液晶表示装置におけるバックライトの明るさのばらつきによる輝度分布の不均一を相殺して均一な映像が表示されるようにする際の液晶表示方法の具体例について説明するための図である。
【図８】図１の液晶表示装置におけるバックライトの明るさのばらつきによる輝度分布の不均一を相殺して均一な映像が表示されるようにする際の液晶表示方法の具体例について説明するための図である。
【図９】図１の液晶表示装置におけるバックライトの明るさのばらつきによる輝度分布の不均一を相殺して均一な映像が表示されるようにする際の液晶表示方法の具体例について説明するための図である。
【図１０】図１の液晶表示装置におけるバックライトの明るさのばらつきによる輝度分布の不均一を相殺して均一な映像が表示されるようにする際の液晶表示方法の具体例について説明するための図である。
【符号の説明】
【００４７】
１  マイクロプロセッサ
２  液晶コントロール用ＩＣ
３  液晶表示パネル
４  外部メモリ
５ａ，５ｂ  加算器
５ｃ，５ｄ  減算器
６ａ〜６ｄ  乗算器
６ｅ  シフト器
【図１】
2007163555.tif 000003
【図２】
2007163555.tif 000004
【図３】
2007163555.tif 000005
【図４】
2007163555.tif 000006
【図５】
2007163555.tif 000007
【図６】
2007163555.tif 000008
【図７】
2007163555.tif 000009
【図８】
2007163555.tif 000010
【図９】
2007163555.tif 000011
【図１０】
2007163555.tif 000012